(57)【要約】      （修正有）【課題】フィステル針及びＩＶ点滴装置内で使用される針のような翼付き針用の保護シースおよび保護シース組立体を提供する。【解決手段】シース本体の前端から後端に向けて伸びるスロット４２により隔てられた少なくとも２つの長手方向伸長指状体３２を有している。スロットの各々は、翼部の１つのみを受け入れてシースの少なくとも一部分が翼部を越えて摺動し、使用後、針を覆うことを許容するような寸法とされている。スロットには、翼部が通るとき、可聴のカチリという音を発生させるｚ字形屈曲部が設けられている。更に、ｚ字形屈曲部は、浅い入口５３と急峻な出口５５とを有し、該急峻な出口は翼部が一方向に向けて通過して係止するのを許容し且つ翼部が反対方向に向けて出るのを阻止する。さらに、シース及び（又は）翼部が係止位置に摺動するのを容易にし且つ最終ユーザが該装置を保持し、安全、適正に使用することを助ける柄状部が設けられている。【選択図】  図１
2004358175.tif 000002
【特許請求の範囲】
【請求項１】
一端に中空針が設けられた１本の管と、該針を備えた管の端部に隣接して１対の外方に突き出す可撓性の翼部分と、管上に摺動可能に配置され且つ使用後、針に沿って摺動し針を覆い得るようにされた保護シースとを備え、該シースが、針に向けて方向付けられた前端と、針から離れるように方向付けられた後端とを有する、ほぼ管状の中空本体を備え、該本体が、翼部分を摺動可能に受け入れる、その前端にて開始し且つ、後端に向けて長手方向に伸びる少なくとも１つのスロットを有し、前記シースの少なくとも一部分が翼部分を越えて摺動し、針を覆うことを許容するようにした型式の針装置において、
前記シースの後端に設けられた安全保護部であって、前記シースから且つ該シースの周方向で少なくとも部分的に環状に半径方向外方に伸びて、シースを通して管を引張るためにシースの後端を把持したユーザの手がシースの前端に向けて摺動するのを防止するようにした前記安全保護部を備えるように改良した、針装置。
【請求項２】
請求項１に記載の針装置において、前記保護シースが、前記管状の形状の本体の後端に接続されたほぼ円筒状の形状の環状ベース部を更に備え、前記安全保護部が、前記ベース部と前記本体との接続部に配置される、針装置。
【請求項３】
請求項２に記載の針装置において、前記ほぼ管状の形状の本体が、その前端にて開始し且つ、後端に向けて伸びる少なくとも３つの長手方向に伸びるスロットを有し、該スロットの各々が、前記翼部分の１つのみを摺動可能に受け入れて前記シースの少なくとも一部分が翼部分を越えて摺動し針を覆い得るようにされた、針装置。
【請求項４】
請求項３に記載の針装置において、前記スロットの各々が、前記翼部分の１つの幅よりも僅かに狭い幅を有する、針装置。
【請求項５】
請求項１に記載の針装置において、前記保護シースが、針を覆う所定位置に前記シースを係止する手段を更に備える、針装置。
【請求項６】
請求項５に記載の針装置において、シースを所定位置に係止する前記手段が、前記シースに設けられた、翼部分に係合する手段を備える、針装置。
【請求項７】
請求項６に記載の針装置において、前記シースに設けられた、翼部分に係合する前記手段が、前記翼部分を受け入れ且つ該翼部分と係合して前記シースを針を覆う所定位置に係止すべく前記スロットに形成された切欠きを備える、針装置。
【請求項８】
請求項３に記載の針装置において、前記保護シースが、針を覆う所定位置に前記シースを係止する手段を更に備える、針装置。
【請求項９】
請求項８に記載の針装置において、シースを所要位置に係止する前記手段が、前記シースに設けられた、翼部分に係合する手段を備える、針装置。
【請求項１０】
請求項９に記載の針装置において、前記シースに設けられた、翼部分に係合する前記手段が、前記翼部分を受け入れ且つ該翼部分の１つと係合して針を覆う所定位置に前記シースを係止すべく前記スロットの各々に形成された切欠きを備える、針装置。
【請求項１１】
請求項１０に記載の針装置において、前記切欠きの各々が前記翼部分の１つの幅に少なくとも等しい幅を有する、針装置。
【請求項１２】
請求項１に記載の針装置において、前記安全保護部が、前記保護シースから半径方向外方に伸びる１対の対向する舌状部分を備える、針装置。
【請求項１３】
請求項１に記載の針装置において、前記保護シースがプラスチックで出来ている、針装置。
【請求項１４】
外方に突き出す１対の可撓性の翼部分を有し、管の一端に取り付けられた翼付き針用の保護シースであって、前記管上に摺動可能に配置され且つ管上を滑って使用後の針を覆い得るようにされた保護シースにおいて、
前端及び後端を有する中空のほぼ管状の本体であって、その前端にて開始し且つ、後端に向けて伸びて、前記針の翼部分を摺動可能に受け入れており、前記シースの少なくとも一部分が翼部分を越えて摺動し針を覆うことを許容する少なくとも１つの長手方向に伸びるスロットを有する前記中空のほぼ管状の本体と、
前記シースの後端に設けられて、前記シースから半径方向外方に且つ、前記シースの周方向で少なくとも一部分環状に伸びる安全保護部とを備え、
これにより、前記シースが管上に摺動可能に配置され、ユーザがシースを通して管を引張るためにシースの後端を手で把持したとき、ユーザの手のシースの前端に向けて摺動するのが防止されるようにした、保護シース。
【請求項１５】
請求項１４に記載の保護シースにおいて、前記管状の形状の本体の後端に接続されたほぼ円筒状の環状ベース部を更に備え、前記安全保護部が前記ベース部と前記本体との接続部に配置される、保護シース。
【請求項１６】
請求項１５に記載の保護シースにおいて、前記ほぼ管状の形状の本体が、その前端にて開始し且つ、後端に向けて伸びる少なくとも３つの長手方向に伸びるスロットを有し、該スロットの各々が、前記翼部分の１つのみを摺動可能に受け入れて前記シースの少なくとも一部分が翼部分を越えて摺動し針を覆い得るようにされた、保護シース。
【請求項１７】
請求項１６に記載の保護シースにおいて、前記スロットの各々が、前記翼部分の１つの幅よりも僅かに狭い幅を有する、保護シース。
【請求項１８】
請求項１４に記載の保護シースにおいて、針を覆う所定位置に前記シースを係止する手段を更に備える、保護シース。
【請求項１９】
請求項１８に記載の保護シースにおいて、シースを所定位置に係止する前記手段が、前記シースに設けられて、翼部分に係合する手段を備える、保護シース。
【請求項２０】
請求項１６に記載の保護シースにおいて、前記シースに設けられて、翼部分に係合する前記手段が、前記翼部分を受け入れ且つ該翼部分と係合して前記シースを針を覆う所定位置に係止すべく前記スロットに形成された切欠きを備える、保護シース。
【請求項２１】
請求項１６に記載の保護シースにおいて、針を覆う所定位置に前記シースを係止する手段を更に備える、保護シース。
【請求項２２】
請求項２１に記載の保護シースにおいて、シースを所定位置に係止する前記手段が、前記シースに設けられて、翼部分に係合する手段を備える、保護シース。
【請求項２３】
請求項２２に記載の保護シースにおいて、前記シースに設けられて、翼部分に係合する前記手段が、前記翼部分の１つを受け入れ且つ該翼部分と係合して前記シースを針を覆う所要位置に係止すべく前記スロットの各々に形成された切欠きを備える、保護シース。
【請求項２４】
請求項２３に記載の保護シースにおいて、前記切欠きの各々が前記翼部分の１つの幅に少なくとも等しい幅を有する、保護シース。
【請求項２５】
請求項１４に記載の保護シースにおいて、前記安全保護部が、前記保護シースから半径方向外方に伸びる１対の対向する舌状部分を備える、保護シース。
【請求項２６】
請求項１４に記載の保護シースにおいて、前記保護シースがプラスチックで出来ている、保護シース。
【請求項２７】
一端に中空針が設けられた１本の管と、該針を備えた管の端部に隣接して１対の外方に突き出す可撓性の翼部分と、前記管上に摺動可能に配置され且つ使用後、針に沿って摺動し針を覆い得るようにされた保護シースとを備える型式のシース及び針組立体装置において、
前記シースが、針に向けて方向付けられた前端と、針から離れるように方向付けられた後端とを有する、前記管上に摺動可能に配置された中空のほぼ管状の本体を備え、該本体の前記前端が、該本体の前端から前記後端に向けて伸びるスロットを画成する少なくとも２つの指状体を有し、前記可撓性の翼部分が該スロットを通って摺動して、使用後の前記針が前記指状体により実質的に覆われるようにし、前記スロットの少なくとも１つが、ｚ字形屈曲部を有し、前記翼部分の少なくとも１つが該ｚ字形屈曲部を通って係止位置まで摺動するように改良した、シース及び針組立体装置。
【請求項２８】
請求項２７に記載のシース及び針組立体において、前記スロットの各々が、翼部分がスロットを通って摺動するとき、指状体を離れるように付勢させ得るよう前記翼部分の１つの幅よりも僅かに狭い幅を有する、シース及び針組立体。
【請求項２９】
請求項２７に記載のシース及び針組立体において、前記管状本体の前記後端に設けられた柄状部を更に備える、シース及び針組立体。
【請求項３０】
請求項２９に記載のシース及び針組立体において、前記柄状部が前記シースの前記管状本体から半径方向外方に伸びる、シース及び針組立体。
【請求項３１】
請求項２７に記載のシース及び針組立体において、前記管状本体が３つの指状体及び３つのスロットを有し、該スロットの少なくとも１つにはｚ字形曲がり部分が設けられる、シース及び針組立体。
【請求項３２】
請求項２７に記載のシース及び針組立体において、前記管状本体が４つの指状体及び４つのスロットを有し、該スロットの少なくとも１つにはｚ字形曲がり部分が設けられる、シース及び針組立体。
【請求項３３】
請求項２７に記載のシース及び針組立体において、前記管状本体が５つの指状体及び５つのスロットを有し、該スロットの少なくとも１つにはｚ字形曲がり部分が設けられる、シース及び針組立体。
【請求項３４】
請求項２７に記載のシース及び針組立体において、前記保護シースがプラスチックで出来ている、シース及び針組立体。
【請求項３５】
請求項２７に記載のシース及び針組立体において、前記指状体の各々が、前記翼部分が前記スロット内に進むのを容易にし得るように、Ｖ字形で且つテーパー付きである前端を有する、シース及び針組立体。
【請求項３６】
１対の翼部分を有し、管に取り付けられる翼付き針用の保護シースにおいて、
前端及び後端を有する中空のほぼ管状本体であって、前記前端から前記本体の前記後端に向けて伸びるスロットを画成する少なくとも２つの指状体を有し、前記可撓性の翼部分が前記スロットを通って摺動し、前記針が、使用後、前記指状体により実質的に覆われるようにした前記中空のほぼ管状の本体と、
前記管状本体の前記後端に設けられた柄状部とを備える、翼付き針用の保護シース。
【請求項３７】
請求項３６に記載の保護シースにおいて、前記スロットの各々が前記翼部分の１つの幅よりも僅かに狭い幅を有する、保護シース。
【請求項３８】
請求項３６に記載の保護シースにおいて、前記シースが、針を覆うその位置にシースを係止し、使用後の針による針突刺を防止する手段を有する、保護シース。
【請求項３９】
請求項３８に記載の保護シースにおいて、シースを係止する前記手段が前記スロットの少なくとも１つにｚ字形屈曲部を備える、保護シース。
【請求項４０】
請求項３６に記載の保護シースにおいて、前記管状本体が３つの指状体及び３つのスロットを有し、少なくとも１つのスロットがｚ字形屈曲部を有する、保護シース。
【請求項４１】
請求項３６に記載の保護シースにおいて、前記管状本体が４つの指状体及び４つのスロットを有し、少なくとも１つのスロットがｚ字形屈曲部を有する、保護シース。
【請求項４２】
請求項３６に記載の保護シースにおいて、前記管状本体が５つの指状体及び５つのスロットを有し、少なくとも１つのスロットがｚ字形屈曲部を有する、保護シース。
【請求項４３】
１対の翼部分を有し且つ管に取り付けられる翼付き針用の保護シースにおいて、
前端及び後端を有する中空のほぼ管状本体であって、前記管が前記シースを通して引張られて前記翼部分を固定するとき、１８０°以外の角度にて隔たれた状態の前記翼部分を容易に受け入れる手段を有する前記中空のほぼ管状本体を備え、前記手段が、本体の前端から前記後端に向けて伸びるスロットにより分離された少なくとも３つの長手方向伸長指状体を備え、前記スロットの各々が、翼部分の１つのみを受け入れて前記シースの少なくとも一部が翼部分を越えて摺動し、針を覆うことを許容し得るような寸法とされ、前記スロットの少なくとも１つにはｚ字形屈曲部が設けられる、翼付き針用の保護シース。
【請求項４４】
請求項４３に記載の保護シースにおいて、前記ｚ字形屈曲部が入口勾配及び出口勾配を有し、該入口勾配が前記出口勾配よりも浅い角度である、保護シース。
【請求項４５】
請求項４４に記載の保護シースにおいて、前記入口勾配が約６０°の角度を有する、保護シース。
【請求項４６】
請求項４５に記載の保護シースにおいて、前記出口勾配が約９０°の角度を有する、保護シース。
【発明の詳細な説明】
【０００１】
【発明の属する技術分野】
本出願は、引用することによりその開示内容の全体を本明細書に含めた、２００１年６月７日付けで出願された、仮特許出願第６０／２９６，６４５号の利益を主張するものである。本出願は、引用することによりその開示内容の全体を本明細書に含めた、共有に係る米国特許第５，３３０，４３８号に関連するものである。
【０００２】
本発明は、フィステル針又はＩＶ点滴装置にて使用される針のような翼付きの蝶型針用の保護シースに関し、また、かかる針による偶発的な針穿刺から保護するための保護シースを有する、シース及び針組立体に関する。
【０００３】
【従来の技術】
注射器及びＩＶ装置のような、汚染された医療装置による偶発的な針穿刺は、健康管理従事者に重大な危険を生じさせる。使用済みの医療装置を処分する掃除作業員でも危険である。肝炎、エイズ及びその他の病気は、感染した患者に対して使用した針による偶発的な針穿刺によって伝染する可能性があり、また、現に伝染している。
【０００４】
注射器による偶発的な針穿刺の問題に対処するための試みが為されている。例えば、従来の米国特許第４，６５４，０３４号、米国特許第４，６８１，５６７号、米国特許第４，７４０，２０４号、米国特許第４，７４０，２０４号に開示された装置を参照するとよい。更に、ＩＶ装置による針穿刺を特に防止するための試みが為されている。例えば、米国特許第３，５７２，３３４号、米国特許第４，１４０，１０８号、米国特許第４，１６０，４５０号、米国特許第４，１７０，９９３号、米国特許第４，６７６，７８３号、米国特許第４，７８１，６９２号、米国特許第４，８２０，２８２号、米国特許第４，８３４，７０８号、米国特許第４，８４６，８０８号、米国特許第４，８８８，００１号、米国特許第４，９１７，６６９号、米国特許第４，９３５，０１１号、米国特許第４，９４１，８８１号、米国特許第４，９４３，２８３号、米国特許第４，９６９，８７６号、米国特許第５，１２０，３２０号に開示された装置を参照するとよい。
特に、米国特許第４，９４１，８８１号には、１本の管を有し、該管が該管の一端に設けられた中空の針を有するシースを備えるＩＶ点滴装置が開示されている。シースは、その管上に摺動可能に配置されており、また、針を使用した後、針に沿って摺動して針を覆い得るようにされている。該シースは、針を覆うその位置にシースを係止して使用済みの針による針穿刺を防止する手段を有している。そのＩＶ点滴装置は、針に隣接する外方に突き出す可撓性の翼部分を有する型式のものであり、シースの係止手段は、翼部分に係合する手段を備えることが好ましい。該シースは、針に向けて方向付けられた前端と、針から離れる方向に方向付けられた後端とを有する、中空のほぼ管状の本体を備えている。該本体は、本体の前端から後端に向けて伸びる少なくとも１つの長手方向伸長スロット即ち溝を有している。該スロットは、翼部分を受け入れて、シースの少なくとも一部分がその翼部分を越えて摺動して針を覆い得るようにされている。スロットの前端は、拡がってほぼＶ字形の入口となり、翼部分がスロット内に進むのを容易にする。シースは、翼部分を受け入れ且つ翼部分と係合し、本体を針を覆うその位置に係止すべくスロットの後端にて本体に形成された切欠きを有している。
【０００５】
当該発明者の米国特許第５，３３０，４３８号には、その主題を参考として引用し本明細書に含めた、米国特許第４，９４１，８８１号に開示されたＩＶ点滴装置及びシースの改良が開示されている。当該発明者の従前の発明は、シースに収容する間、使用済み針の不適切な取り扱い及びシースに対しその針が詰まる可能性を顕著に最小にする、改良されたシース構造を提供する。
【０００６】
最近、米国食品医薬品局は、針と共に使用される全ての安全装置は、針が安全な状態とされたことを示し得るように色変化し又は可聴音を発生し、又は何らかの認識し易い証拠を提供することを要求している。
【０００７】
【発明が解決しようとする課題】
従って、本発明の１つの目的は、フィステル針又はＩＶ点滴装置の翼付き針のような翼付きの蝶型針用の新規且つ改良された保護シースを提供し、また、使用された後、その使用済みの針による針穿刺の危険を減少させ得るように針を覆う、かかる改良されたシースを有するシース組立体を提供することである。
本発明の更なる目的は、管上で単に引張ることにより、針が保護シース内に引込まれ、針を覆う所定の位置にシースを係止することのできる、特に、ＩＶ点滴装置又はフィステル針用の保護シース及びシース組立体を提供することである。
【０００８】
本発明のより具体的な目的は、作用の点にて極めて効果的であり、容易に且つ手軽に使用でき、経済的に製造でき、また、比較的簡単な設計であるかかる保護シース及び組立体を提供することである。
【０００９】
本発明の更に別の目的は、針がシース内に安全に係止されたことを示す可聴の証拠を発生させる手段を提供することである。
【００１０】
本発明の更に別の目的は、当該発明者の従前の特許の係止構造体を改良する手段を提供することである。
【００１１】
本発明の更に別の目的は、針がシース内の係止位置まで動くのを容易にする手段を提供することである。
【００１２】
本発明の更に別の目的は、ユーザが適正に且つ安全に使用するためにシースの何処を保持すべきかを認識することのできる手段を提供することである。
【００１３】
【課題を解決するための手段】
一端に中空針が設けられた１本の管と、該針を備えた管の端部に隣接して１対の外方に突き出す可撓性の翼部分と、管上に摺動可能に配置され且つ使用後、針に沿って摺動して針を覆い得るようにされた保護シースとを備える型式の改良された翼付き針組立体装置により、上記及び関連する目的が容易に実現される。シースは、針に向けて方向付けられた前端と、針から離れるように方向付けられた後端とを有する、ほぼ管状の中空本体を備えている。該本体は、本体の前端から後端に向けて伸びるスロットにより分離された、長手方向に伸びる少なくとも２つの指状体を有し、該スロットの各々は、翼部分の１つのみを受け入れて、上記シースの少なくとも一部分が翼部分を越えて摺動して、使用後の針を実質的に覆うことを許容するような寸法とされている。好ましくは、スロットの各々は、翼部分の１つの幅よりも僅かに狭い幅を有するようにする。
【００１４】
本発明によれば、スロットは、ｚ字型屈曲部或いは曲がり部が設けられ、該屈曲部により、翼部分が該屈曲部を通過するとき、可聴のカチリという音が発生する。更に、ｚ字型屈曲部は、浅い角度の入口と、急峻な出口とを有しており、該急峻な出口は、翼部分が一方向に進んで該翼部分を係止するのを許容し、且つ翼部分が反対方向に向けて出るのを阻止する。
【００１５】
本発明の別の面によれば、シースには、柄状部が設けられており、該柄状部は、シース及び／又は翼部が係止位置に摺動するのを容易にし、且つユーザがスロットが形成された領域にてシースを保持するのを防止し、翼部分が係止スロット内を摺動するのを妨害されることがないようにする。このことは、また、シースに収容するとき、ユーザの手を汚染した針から離れた位置に保つことにもなる。
【００１６】
保護シースは、プラスチックで出来ていることが好ましく、また、指状体の前端は、翼部分がスロット内に進むのを容易にし得るように、Ｖ字形で且つテーパー付きであることが好ましい。
【００１７】
本発明の追加的な目的及び有利な点は、添付図面と共に、詳細な説明を参照することにより、当該技術分野の当業者に明らかになるであろう。
【００１８】
【発明の実施の形態】
先ず、図１乃至図３を参照すると、本発明を具体化するシース組立体が図示されており、組立体は、中空針２４と共に設けられたシース２８を備え、その針２４には１対の翼部分２６が設けられ、針２４が管２５の一端に取り付けられている。該シース２８は、１対の指状体３２、４０を有する、管２５上に摺動可能に取り付けられたスロット付きのほぼ管状の本体を有し、該１対の指状体は、環状ベース部すなわちハンドル３０に取り付けられ、該ハンドルは貫通穴を有し、該貫通穴によってハンドルは管２５に摺動可能に取り付けられる。指状体は、１対のスロット４２を画成し、針２４の翼部分２６は該１対のスロットを通って摺動でき、該スロットは本体の前端（翼部分が開放端部４６を画成する箇所）からその後端３８に向けて伸長しており、該後端にて翼部分は閉じた端部５４として終端となっている。
【００１９】
本発明の１つの面によれば、スロット４２にはｚ字形屈曲部５３、５５が設けられている。該ｚ字形屈曲部は、翼部分２６が該ｚ字形屈曲部を通るときに、翼部分２６が多少変形し、指状体３２、４０が押し広げられるような寸法とされている。より具体的には、翼部分が図２に示した位置から図３に示した位置まで移動すると、翼部分及び（又は）指状体は変形を止め、その通常の形態にスナップ動作して戻るとき、可聴のカチリという音が聞こえる。
【００２０】
本発明の別の面によれば、ｚ字形屈曲部の入口５３は、比較的浅い勾配を有する一方、ｚ字形屈曲部の出口５５は比較的急峻な勾配を有する。図面に図示するように、入口５３は約６０°の勾配を有する一方、出口５５は約９０°の勾配を有する。このことは、翼部分２６が図２に図示した位置から図３に図示した位置まで動くのを容易にするが、翼部分が図３に図示した位置から反対方向に向けて動くのを阻止する。更に、急峻な勾配５５により翼部分２６及び指状体３２、４０の変形が急激に停止し、その結果、可聴のカチリという音が発生する。好ましくは、勾配５５とスロットの端部５４との間の距離は翼部分２６の幅よりも僅かだけ大きくし、翼部分が端部５４と勾配５５との間の空間内にきちっと係止するようにする。
【００２１】
本発明の第一の実施の形態によれば、指状体３２、４０は柄状部３４によって管状本体の後端３８から離れた第一の環状ハンドル３０にて終わっている。図１乃至図３に図示するように、柄状部３４は、２つの角度付き端部５０、５２を有するが、湾曲又は直線状とすることができる。柄状部３４は、シース及び翼部分が図３に図示した係止位置まで摺動する間、シースを保持することを助ける。柄状部３４は、ユーザが指状体３２、４０の上でシース２８を把持しないようにシース２８の何れの箇所を保持すべきかをユーザに表示することを助け、これにより翼部分２６がスロット４２乃至５４の底部まで摺動するのを防止することのないようにする。
【００２２】
図４に図示した第二の実施の形態によれば、柄状部３４´は２つの直線状端部５０´、５２´を有している。
【００２３】
第三の実施の形態によれば、柄状部は何ら提供されない。その代わり、ギザギザ面付き環状ハンドル３０と管状本体の後端３８との間に截頭形部分３４´が提供される。
【００２４】
本明細書に開示された改良は、２つの指状体を有するシースにて実現可能ではあるが、この改良は、また当該発明者の従前の米国特許第５，３３０，４３８号に開示されたように、３つ又はより多くの指状体を有するシースにも適用可能である。
【００２５】
保護シース２８はプラスチックで出来ていることが好ましく、また、指状体の前端４０は翼部分２６がスロット４２の開放端部４６内に進むのを容易にし得るようにＶ字形であり且つテーパー付きであることが好ましい。フィステル針又はＩＶ点滴装置にて使用される針のような翼付き針用の保護シースの幾つかの実施の形態に関して本明細書にて説明し且つ図示した。本発明の特定の実施の形態を説明したが、本発明は当該技術が許容する限り広範囲に及び、また、本明細書もそのように読まれるべきことを意図するものであり、本発明をこれらの実施の形態にのみ限定することを意図するものではない。このため、当該技術分野の当業者には、特許請求の範囲に記載されたその精神及び範囲から逸脱せずに、提供された発明に対しその他の更なる改変例を為すことが可能であることが理解されよう。
【図面の簡単な説明】
【図１】翼付き針の無い状態での本発明によるシースの側面図である。
【図２】翼付き針の翼部分がシースのスロット内でｚ字形屈曲部を横断する状態での、本発明によるシースの側面図である。
【図３】翼付き針の翼部分がシースのスロット内でｚ字形屈曲部を超えた位置にあり、従って係止位置にある状態での本発明によるシースの側面図である。
【図４】僅かに相違する柄状部を有する本発明の１つの代替的な実施の形態の図３と同様の図である。
【図５】柄状部の無い本発明の１つの代替的な実施の形態の図３及び図４と同様の図である。
【符号の説明】
２４    中空針
２５    管
２６    翼部分
２８    保護シース
３０    環状ベース部すなわちハンドル
３２    指状体
３４    柄状部
３４´    截頭形部分
３８    本体の後端
４０    指状体の前端
４２    スロット
４６  開放端部
５０、５２    角度付き端部
５０´、５２´    直線状端部
５３    ｚ字形屈曲部の入口
５４    スロットの端部
５５    ｚ字形屈曲部の出口
【図１】
2004358175.tif 000003
【図２】
2004358175.tif 000004
【図３】
2004358175.tif 000005
【図４】
2004358175.tif 000006
【図５】
2004358175.tif 000007
【外国語明細書】
2004358175.tif 000008
2004358175.tif 000009
2004358175.tif 000010
2004358175.tif 000011
2004358175.tif 000012
2004358175.tif 000013
2004358175.tif 000014
2004358175.tif 000015
2004358175.tif 000016
2004358175.tif 000017
2004358175.tif 000018
2004358175.tif 000019
2004358175.tif 000020
2004358175.tif 000021
2004358175.tif 000022
2004358175.tif 000023
2004358175.tif 000024
2004358175.tif 000025
2004358175.tif 000026
2004358175.tif 000027